(57)【要約】【課題】無線通信時において外界から送信データが受けるノイズ等の悪影響を抑え、通信の信頼性を向上させることにある。【解決手段】デジタルカメラ１は、無線通信方式によりプリンタ装置３に対してデータ送信を行う場合、所定の圧縮方式により圧縮された圧縮データを展開することなく圧縮データをプリンタ装置３に対して送信する。【選択図】  図１
2005012690.tif 000002
【特許請求の範囲】
【請求項１】
所定の圧縮方式により圧縮された圧縮データを記憶する記憶手段と、
無線通信方式により印刷装置に対してデータ送信を行う場合、前記記憶手段に記憶される前記圧縮データを展開することなく前記圧縮データを前記印刷装置に対して送信するデータ送信手段とを有することを特徴とする撮像装置。
【請求項２】
前記データ送信手段が有線通信方式により前記印刷装置に対してデータ送信を行う場合、前記記憶手段に記憶される前記圧縮データを前記印刷装置が印刷可能なデータ形式に展開するデータ処理手段を更に有し、
前記データ送信手段は、前記データ処理手段により展開されたデータを前記印刷装置に対して送信することを特徴とする請求項１に記載の撮像装置。
【請求項３】
前記データ処理手段は、前記印刷装置が印刷可能なデータ形式に前記圧縮データを展開することを特徴とする請求項２に記載の撮像装置。
【請求項４】
無線通信方式により印刷装置に対してデータ送信を行う場合、所定の圧縮方式により圧縮された圧縮データを展開することなく前記圧縮データを前記印刷装置に対して送信することを特徴とする撮像装置の通信方法。
【請求項５】
請求項４に記載の通信方法をコンピュータに実行させるためのプログラム。
【請求項６】
請求項５に記載のプログラムを記録したコンピュータ読み取り可能な記録媒体。
【発明の詳細な説明】
【０００１】
【発明の属する技術分野】
本発明は、デジタルカメラなどの撮像装置に関するものである。
【０００２】
【従来の技術】
従来の印刷システムには、撮像装置（デジタルカメラなど）と印刷装置との間を無線で接続し、使用者によって選択されたデジタル画像を撮像装置から印刷装置にダイレクトに送信する印刷システムがある（例えば、特許文献１）。
【０００３】
【特許文献１】
特開平１０−１９１２２６号公報
【０００４】
【発明が解決しようとする課題】
しかしながら、無線による印刷システムは、有線による印刷システムに比べて通信の信頼性の面で若干劣ると言う問題があった。
【０００５】
本発明の目的は、無線通信時において外界から送信データが受けるノイズ等の悪影響を抑え、通信の信頼性を向上させることにある。
【０００６】
【課題を解決するための手段】
斯かる目的を達成するために、本発明の撮像装置は、所定の圧縮方式により圧縮された圧縮データを記憶する記憶手段と、無線通信方式により印刷装置に対してデータ送信を行う場合、前記記憶手段に記憶される前記圧縮データを展開することなく前記圧縮データを前記印刷装置に対して送信するデータ送信手段とを有することを特徴とする。
【０００７】
【発明の実施の形態】
以下、添付図面を参照しながら本発明を適用した好適な実施形態を詳細に説明する。
まず、最初に本実施形態で説明する各種無線通信方式の標準化が推進されているものの中で代表的なものについて説明を行う。電磁波を利用して無線でパケット化されたデータの送受信を行う方式の標準化の一例を挙げると、ＩＥＥＥ標準委員会ではＩＥＥＥ  ｓｔｄ  ８０２．１１という名称で無線ＬＡＮの物理層およびメディアアクセス制御層（以下、ＭＡＣ層と略記する）を標準化しており、更にＩＥＥＥ  ｓｔｄ  ８０２．１１ｂおよびＩＥＥＥ  ｓｔｄ  ８０２．１１ａという名称でより高速な物理層およびＭＡＣ層を標準化している。ここで、ＩＥＥＥｓｔｄ  ８０２．１１では電磁波だけでなく、赤外線の利用も含めている。これに対しＩＥＥＥ  ｓｔｄ  ８０２．１１ｂおよびＩＥＥＥ  ｓｔｄ  ８０２．１１ａは現在のところ電磁波のみである。
【０００８】
また、ＩＥＥＥ  ｓｔｄ  ８０２．１１およびＩＥＥＥ  ｓｔｄ  ８０２．１１ｂで使用する電磁波の周波数帯域は、利用者が免許取得を不要とする２．４ＧＨｚ（ギガヘルツ）帯である。ＩＥＥＥ  ｓｔｄ  ８０２．１１では通信速度は１Ｍｂｉｔ／秒（メガビット毎秒）乃至２Ｍｂｉｔ／秒であるが、ＩＥＥＥ  ｓｔｄ  ８０２．１１ｂでは前記に５．５Ｍｂｉｔ／秒および１１Ｍｂｉｔ／秒の通信速度が加えられている。
【０００９】
ＩＥＥＥ  ｓｔｄ  ８０２．１１ａでは使用する電磁波の周波数帯域が異なるものの、６Ｍｂｉｔ／秒から５４Ｍｂｉｔ／秒の通信速度が規定されている。ＩＥＥＥｓｔｄ  ８０２．１１ｂ準拠の製品の通信距離は、１１Ｍｂｐｓで３０ｍ程度、通信速度を下げればより長距離の通信が可能である。
【００１０】
電磁波を使う無線通信方式は、ＩＥＥＥ  ｓｔｄ  ８０２．１１では直接拡散方式（ＤＳ）方式および周波数ホッピング方式（ＦＨ方式）の両方を採用している。ＩＥＥＥ  ｓｔｄ  ８０２．１１ｂではＤＳ方式を採用している。ＩＥＥＥ  ｓｔｄ  ８０２．１１ａではＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）という方式を採用している。
【００１１】
図１は、本発明の一実施形態に係るダイレクトプリントシステムを構成するデジタルカメラ１と昇華型プリンタ３が有線で接続されている場合のシステム構成を示した図である。なお、デジタルカメラ１は本発明の一実施形態に係る撮像装置であり、昇華型プリンタ３は本発明の一実施形態に係る印刷装置である。
図１の例では、デジタルカメラ１で撮影し、撮影後メモリ媒体に保存し再度読み出した画像をデジタルカメラ内で昇華型プリンタのプリントデータに画像処理した後、専用ケーブル２経由でイエロー、マゼンタ、シアンの順で昇華型プリンタ３に送り出し、そのデータをカラープリントする。
【００１２】
ユーザは、図１に示すデジタルカメラの操作部材４でプリントパターン、プリントしたい画像、プリント指定枠等を選択しデジタルカメラの液晶画面５でそれらの内容を確認することが可能である。
【００１３】
図２は、本発明の一実施形態に係るダイレクトプリントシステムを構成するデジタルカメラ１と昇華型プリンタ３が無線で接続されている場合のシステム構成を示した図である。
図２の例では、デジタルカメラ１で撮影し、撮影後メモリ媒体に保存し再度読み出しファイル形式のデータを無線通信で昇華プリンタ３に送り出し、昇華プリンタ内でプリントデータ用の画像処理を実施しカラープリントする。
【００１４】
ユーザは、図１の例と同様に、デジタルカメラの操作部材４でプリントパターン、プリントしたい画像、プリント指定枠等を選択しデジタルカメラの液晶画面５でそれらの内容を確認することが可能である。
【００１５】
図３は、本実施形態でプリント用データを作成する為の画像処理、データ通信を行うデジタルカメラの構成を示したブロック図である。
図中２０はレンズを通して結像された画像を電気信号に変換するためのＣＣＤ、２１は本デジタルカメラシステムを制御、演算処理を司るＣＰＵ、２２はＣＣＤから送られてきた電気信号を処理する画像処理エンジン、２３は本デジタルカメラシステムを制御するためのプログラムを格納しておくためのＦｌａｓｈ  ＲＯＭ、２４は、画像データを一時的に保存したり、データ処理作業に使うためのＳＤＲＡＭ、２５は画像データファイルを保存しておくためのＣＦ（コンパクトフラッシュ（Ｒ）メモリ）、２６はＣＦを本デジタルカメラに装着するためのＣＦコネクタ、２７は本デジタルカメラで撮影した画像を表示したり、本デジタルカメラを操作するメニューを表示するためのＬＣＤ、２８はそのＬＣＤをドライブするＬＣＤドライバである。
【００１６】
２９はＩＥＥＥ  ｓｔｄ  ８０２．１１ｂに従って動作するＭＡＣ層（メディアアクセス制御層）制御部であり、無線で送受信するフレームの組み立て・分解や制御フレームの生成、無線通信チャネルの獲得制御、通信速度の制御等を司る部分である。３０はベースバンド処理部であり、前記フレームの変復調、符号化／復号化、アナログ／デジタル変換等を行う部分である。
【００１７】
３１はＩＦ（Ｉｎｔｅｒｍｅｄｉａｔｅ  Ｆｒｅｑｕｅｎｃｙ）のＩ／Ｑ（Ｉｎ  ｐｈａｓｅ／Ｑｕａｄｒａｔｕｒｅ）モデム部であり、送信用ＩＦ信号および受信ＩＦのフィルタリング、４相位相変調／復調等を行う部分である。３２はＲＦ／ＩＦ変換部であり、ＩＦのＩ／Ｑモデム部３１が出力するＩＦ信号を入力してＲＦ（Ｒａｄｉｏ  Ｆｒｅｑｕｅｎｃｙ）信号に変換し、ＲＦ送受信部３３に出力し、ＲＦ送受信部３３を介してアンテナ３４より出力させるためのものであり、逆にアンテナ３４が受信したＲＦ信号をＲＦ送受信部３３を介して入力された場合にＩＦ信号に変換してＩＦのＩ／Ｑモデム部３１へ出力するための部分である。
【００１８】
３３はＲＦ送受信部であり、ＲＦ信号の増幅やＭＡＣ層制御部２９の指示によって送信／受信の切り替え等を行う部分である。３４はアンテナであり、ＲＦ送受信部３３の出力信号を電磁波として出力したり、受信した電磁波をＲＦ信号である電気信号に変換したりするためのものである。ベースバンド処理部３０からアンテナ３４まではＩＥＥＥ  ｓｔｄ  ８０２．１１ｂ準拠の物理層を形成するためのものである。ここで、説明してきた、ＭＡＣ層制御部２９からアンテナ３４が通信処理部として作動することで、外部との印刷データ、各種コマンドを含むデータの送受信が行われる。
【００１９】
図４は、本実施形態でデジタルカメラからのデータを受け取り、プリント処理を行う昇華プリンタの構成を示したブロック図である。
プリンタもデジタルカメラと同様に無線通信処理部を有する。図中５０は、本プリンタシステムを制御、演算を司るＣＰＵである。具体的にはプリンタメカ部分を駆動させるモータ制御、プリンタヘッド制御、デジタルカメラからデジタルカメラのデータ保存ファイル形式で一般的なＪＰＧファイルを受け取った場合には、ＪＰＧファイルを伸張し、リサイズ、色空間変換等の処理を行いプリントデータを作成する。５１は本プリンタ装置をコントロールするプログラムを格納しておくためのＦｌａｓｈ  ＲＯＭ、５２は画像データ等を一時的に保存したり、データ処理作業に使うためのＳＤＲＡＭ、５３はプリンタメカ部を動作させるためのモータを駆動するためのモータドライバ、５４はプリンタヘッドに画像データに応じて電圧を加え発熱させるためのプリンタヘッドコントローラ、５５はＵＳＢ通信を行うためのＵＳＢコントローラである。
【００２０】
５６はＩＥＥＥ  ｓｔｄ  ８０２．１１ｂに従って動作するＭＡＣ層（メディアアクセス制御層）制御部であり、無線で送受信するフレームの組み立て・分解や制御フレームの生成、無線通信チャネルの獲得制御、通信速度の制御等を司る部分である。５７はベースバンド処理部であり、前記フレームの変復調、符号化／復号化、アナログ／デジタル変換等を行う部分である。
【００２１】
５８はＩＦ（Ｉｎｔｅｒｍｅｄｉａｔｅ  Ｆｒｅｑｕｅｎｃｙ）のＩ／Ｑ（Ｉｎ  ｐｈａｓｅ／Ｑｕａｄｒａｔｕｒｅ）モデム部であり、送信用ＩＦ信号および受信ＩＦのフィルタリング、４相位相変調／復調等を行う部分である。５９はＲＦ／ＩＦ変換部であり、ＩＦのＩ／Ｑモデム部５８が出力するＩＦ信号を入力してＲＦ（Ｒａｄｉｏ  Ｆｒｅｑｕｅｎｃｙ）信号に変換し、ＲＦ送受信部６０に出力し、ＲＦ送受信部６０を介してアンテナ６１より出力させるためのものであり、逆にアンテナ６１が受信したＲＦ信号をＲＦ送受信部６０を介して入力された場合にＩＦ信号に変換してＩＦのＩ／Ｑモデム部５８へ出力するための部分である。
【００２２】
６０はＲＦ送受信部であり、ＲＦ信号の増幅やＭＡＣ層制御部５６の指示によって送信／受信の切り替え等を行う部分である。６１はアンテナであり、ＲＦ送受信部６０の出力信号を電磁波として出力したり、受信した電磁波をＲＦ信号である電気信号に変換したりするためのものである。ベースバンド処理部５７からアンテナ６１まではＩＥＥＥ  ｓｔｄ  ８０２．１１ｂ準拠の物理層を形成するためのものである。ここで、説明してきた、ＭＡＣ層制御部５６からアンテナ６１が通信処理部として作動することで、外部との印刷データ、各種コマンドを含むデータの送受信が行われる。
【００２３】
一般的に昇華型熱転写方式でカラー印刷を実現するためには、イエロー、マゼンタ、シアンの３色のデータを作成しなければならない。図５を用いてそのデータ作成手順を説明する。
デジタルカメラの画像保存形式で一般的なＪＰＧファイルを伸張（デコード）する（１００）。次に、印刷用紙サイズ、プリントスタイルに応じた画像サイズにリサイズを行う（１０１）。
【００２４】
本実施形態の昇華型プリンタでは、クレジットカードサイズ、Ｌ判サイズ、ポストカードサイズの３種類の用紙にプリントすることが可能である。また、プリントスタイルは、図６に示すように、印刷用紙全面に画像をプリントする縁無し印刷、画像全体を印刷用紙内に納めて印刷する縁有り印刷（この場合は印刷された画像の上下左右の周辺部分に白い余白ができる）、同一の画像を複数枚並べて印刷するマルチ印刷の３種類の印刷スタイルがある。従って、選択された用紙サイズ、プリントスタイルに応じてＪＰＧ伸張後のデータをリサイズするわけである。
【００２５】
ＪＰＧ伸張（１００）、リサイズ（１０１）は、ＹＵＶのデータ形式で画像処理を行っている。しかし、このままでは昇華型プリンタで印刷実行できるデータ形式ではないので、ＹＵＶからまず、イエロー（Ｙ）のデータを作成する（１０２）。最後にダイレクトプリントシステム全体の特性を考慮したシャープネス（１０３）処理を施す。１０２、１０３の処理を繰り返してマゼンタ（Ｍ）、シアン（Ｃ）のデータを作成する。
【００２６】
次に、デジタルカメラから昇華型プリンタへ転送するデータ量について説明する。
デジタルカメラで撮影された画像を保存するのに一般的なＪＰＧ圧縮されたファイルでは、例えば、４００万画素の画像で１ＭＢ前後のファイルサイズになるのが一般的である。従って、ＪＰＧファイルでデータ転送を行うとこの約１ＭＢを通信することになる。
【００２７】
また、例えば本実施形態のポストカードサイズでは、イエロー、マゼンタ、シアンに変換後のそれぞれのデータサイズは約２．２ＭＢになる。イエロー、マゼンタ、シアンに色変換した後でデータ転送を行うと約２．２ＭＢのデータ通信を計３回行うことになる。通信中に発生しうる通信エラー等の確率はデータ量が多くなれば高くなるのは自明である。
【００２８】
さらに本実施形態の画像処理時間に関して説明する。
本実施形態のダイレクトプリントシステムにおいては、図５に示すＪＰＧ伸張からシャープネスまでの画像処理をデジタルカメラ側、昇華型プリンタ側の両方で実行することが可能である。デジタルカメラ側で一連の画像処理を行う場合にはデジタルカメラの有するＪＰＧ伸張、リサイズのハードブロックを使うことで高速の画像処理が可能である。昇華型プリンタ側で一連の画像処理を行う場合には全ての処理がソフト処理で行われることになり、デジタルカメラ側で画像処理を行うよりも処理時間が長くなる。
【００２９】
そこで、本実施形態ではデータ通信の信頼性アップ、画像処理（印刷時間）の高速性を考慮してデジタルカメラ側にＵＳＢケーブルが装着された（有線通信）場合には、イエロー、マゼンタ、シアンに変換後のデータを昇華型プリンタに送信し、ＵＳＢケーブルがデジタルカメラ側に装着されず無線通信が選択された場合には、ＪＰＧファイルで昇華型プリンタに送信するようにする。
【００３０】
上述の手順を図７、図８を用いて説明する。まず、デジタルカメラ側の処理手順を図７に示す。最初にＪＰＧファイルを読み込む（１１０）、次にＵＳＢケーブルが装着されているかどうかを判定する（１１１）。ＵＳＢケーブルが装着されていなければ無線通信が選択されたと判断し、ＩＥＥＥ  ｓｔｄ  ８０２．１１ｂのプロトコルに従ってデータ送信を行う（１１２）。
【００３１】
ＵＳＢケーブルが接続されていれば有線通信が選択されたと判断し（１１１）、昇華型プリンタ用の画像処理を開始する。まず、ＪＰＧ伸張・１次リサイズを行う（１１３）。次に、印刷用紙、プリントスタイルに応じたデータサイズに２次リサイズする（１１４）。２次リサイズ後のデータはＹＵＶ形式のデータなのでイエローデータを作成する（１１５）、その後、シャープネス（１１６）を施し、昇華型プリンタにＵＳＢ経由で一色目のイエローデータを送信する。同様に（１１５）から（１１７）の処理を後２回繰り返しマゼンタデータ、シアンデータを昇華型プリンタに送信する。
【００３２】
次に、昇華型プリンタ側の処理手順を図８を用いて説明する。まず、デジタルカメラ側から送信されてきたデータを受信する（１２０）。そのデータがＪＰＧファイルかどうかの判定を行う（１２１）。ＪＰＧファイルであれば昇華型プリンタのデータ処理を開始する。次にＪＰＧ伸張・１次リサイズを行う（１２２）。次に、印刷用紙、プリントスタイルに応じたデータサイズに２次リサイズする（１２３）。２次リサイズ後のデータはＹＵＶ形式のデータなのでイエローデータを作成する（１２４）、その後、シャープネスを施し（１２５）、一色目イエローデータの印刷を開始する。１２４から１２５の処理を後２回繰り返しマゼンタデータ、シアンデータの印刷を行う。（１２１）でＪＰＧファイルでなければ、デジタルカメラで昇華型プリンタ用にデータ処理されたデータをそのまま印刷する。
【００３３】
静止画を記録するスチルカメラやビデオカメラ等によって撮影された電子情報を一旦記録媒体等に記録し通信手段を介して該装置によってプリント出力するダイレクトプリントシステムにおいて、デジタルカメラとプリント装置間のデータのやり取りを無線通信で行いデジタルカメラの操作部材を数回選択してプリントアウト可能なダイレクトプリントシステムは簡単に写真的なプリントが得られ便利である。
【００３４】
しかし、その反面、無線通信は有線通信に較べ外界のノイズの影響等を受ける可能性が高く通信の信頼性の面で若干劣ると言う問題点があっが、本実施形態においては、デジタルカメラとプリント装置間のデータ送信に有線通信が選ばれた場合には、デジタルカメラ内で、プリント装置でプリント可能なデータ処理を施したデータの形で通信を行い（この場合は、比較的データ量が多くなる）。デジタルカメラとプリント装置間のデータ送信に無線通信が選ばれた場合には、デジタルカメラの記録媒体に記録されているファイル化されたデータをそのままの形で通信を行う（この場合は、比較的データ量が少なくて済む）ことによって利便性と信頼性を兼ね備えたフレキシブルなダイレクトプリントシステムを提供することを可能にした。
【００３５】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３６】
この場合、記憶媒体から読み出されたプログラムコード自体が前述した実施形態の機能を実現することになり、プログラムコード自体及びそのプログラムコードを記憶した記憶媒体は本発明を構成することになる。
【００３７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３８】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【００３９】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００４０】
【発明の効果】
本発明によれば、無線通信方式により外部装置に対してデータ送信を行う場合、圧縮データを展開することなく外部装置に対して送信するように構成したので、無線通信時において外界から送信データが受けるノイズ等の悪影響を抑え、通信の信頼性を向上させることが可能となる。
【図面の簡単な説明】
【図１】本発明の一実施形態に係るダイレクトプリントシステムにおけるデジタルカメラと昇華型プリンタが有線で接続されている場合のシステム構成を示した図である。
【図２】本発明の一実施形態に係るダイレクトプリントシステムにおけるデジタルカメラと昇華型プリンタが無線で接続されている場合のシステム構成を示した図である。
【図３】本発明の一実施形態においてプリント用データを作成するための画像処理、データ通信を行うデジタルカメラの構成を示したブロック図である。
【図４】本発明の一実施形態においてデジタルカメラからのデータを受け取り、プリント処理を行う昇華型プリンタの構成を示したブロック図である。
【図５】本発明の一実施形態に係るデータ作成手順を示したフローチャートである。
【図６】本発明の一実施形態に適用可能なプリントスタイルを示した図である。
【図７】本発明の一実施形態に係るダイレクトプリントシステムにおけるデジタルカメラ側の処理手順を示したフローチャートである。
【図８】本発明の一実施形態に係るダイレクトプリントシステムにおける昇華型プリンタ側の処理手順を示したフローチャートである。
【符号の説明】
１  デジタルカメラ（撮像装置）
２  専用ケーブル
３  昇華型プリンタ（印刷装置）
４  操作部材
５  液晶画面
１１  インクシート
１２  専用印画紙
１３  サーマルヘッド
１４  プラテンローラ
１５  昇華性染料
１６  受容層
２０  ＣＣＤ
２１  ＣＰＵ
２２  画像処理エンジン
２３、５１  Ｆｌａｓｈ  ＲＯＭ
２４、５２  ＳＤＲＡＭ
２５  ＣＦ（コンパクトフラッシュ（Ｒ）メモリ）
２６  ＣＦコネクタ
２７  ＬＣＤ
２８  ＬＣＤドライバ
２９、５６  ＭＡＣ層制御部
３０、５７  ベースバンド部
３１、５８  ＩＦ  ＩＱモデム部
３２、５９  ＲＦ／ＩＦ変換部
３３、６０  ＲＦ送受信部
３４、６１  アンテナ
５０  ＣＰＵ
５３  モータドライバ
５４  プリンタヘッドコントローラ
５５  ＵＳＢコントローラ
【図１】
2005012690.tif 000003
【図２】
2005012690.tif 000004
【図３】
2005012690.tif 000005
【図４】
2005012690.tif 000006
【図５】
2005012690.tif 000007
【図６】
2005012690.tif 000008
【図７】
2005012690.tif 000009
【図８】
2005012690.tif 000010